(57)【要約】【課題】広告主の本来的な要求である、広告情報のユーザへの良好な伝達を実現することができる広告配信システム及び広告配信方法を提供する。【解決手段】ネットワーク１００を介してウェブサイト情報Ｄ１０にアクセス可能な端末１０の表示部１６にネットワーク１００を介して受信した広告情報Ｄ２０を表示させる広告配信システム１において、端末１０に設けられ、端末１０の外部から入力される情報Ｄ１〜Ｄ４を検知するセンサ１１〜１３、及び端末１０の表示部１６に広告情報Ｄ２０が表示されている際に、端末１０のセンサ１１〜１３が検知した情報Ｄ１〜Ｄ４に基づいて広告情報Ｄ２０の表示を変更させる広告情報表示変更手段２３を備える。【選択図】図１
2017037257.tif 000002
【特許請求の範囲】
【請求項１】
ネットワークを介してウェブサイト情報にアクセス可能な端末の表示部に前記ネットワークを介して受信した広告情報を表示させる広告配信システムにおいて、
前記端末に設けられ、該端末の外部から入力される情報を検知するセンサと、
前記端末の表示部に前記広告情報が表示されている際に、前記端末の前記センサが検知した前記情報に基づいて前記広告情報の表示を変更させる広告情報表示変更手段と、
を備えることを特徴とする広告配信システム。
【請求項２】
前記センサが検知した前記情報が予め設定された条件を達成したか否かを判断する条件達成判定手段を備え、
前記広告情報変更手段は、
前記条件達成判定手段が、前記情報が前記条件を達成したと判断した場合に、前記広告情報の表示を変更させることを特徴とする請求項１に記載の広告配信システム。
【請求項３】
前記センサは、
前記端末の現在位置を検知する位置情報検知センサであることを特徴とする請求項１または２に記載の広告配信システム。
【請求項４】
前記センサは、
前記端末の前記表示部に内蔵された、該表示部に接触した際に該表示部において接触した位置を検知する接触位置検知センサであることを特徴とする請求項１または２に記載の広告配信システム。
【請求項５】
前記センサは、
前記端末に付与される加速度を検知する加速度センサであることを特徴とする請求項１または２に記載の広告配信システム。
【請求項６】
ネットワークを介してウェブサイト情報にアクセス可能な端末の表示部に前記ネットワークを介して受信した広告情報を表示させる広告配信方法において、
前記端末の表示部に前記広告情報が表示されている際に、前記端末に設けられたセンサが前記端末の外部から入力される情報を検知し、
前記センサが検知した前記情報が、予め設定された条件を達成したか否かを判断し、
前記情報が前記条件を達成したと判断した場合に前記センサが検知した前記情報に基づいて前記広告情報の表示を変更させる、
ことを特徴とする広告配信方法。
【発明の詳細な説明】
【技術分野】
【０００１】
本発明は、広告配信システム及び広告配信方法、特に、ネットワークを介してウェブサイト情報にアクセス可能な端末の表示部に、ネットワークを介して受信した広告情報を表示させる広告配信システム及び広告配信方法に関する。
【背景技術】
【０００２】
ユーザが端末でネットワークを介してウェブサイト情報を表示させた際に、そのウェブサイト情報の内容とは別個の広告情報をウェブサイト情報上に表示させる広告配信方法が、一般的に用いられている。
【０００３】
このような広告配信方法によって配信される広告情報は、その広告情報の内容やユーザがウェブサイト情報を閲覧しているタイミングによっては、ウェブサイト情報を閲覧しているユーザにとって不要であったり、時には不快であったりすることがある。
【０００４】
かかる不都合を回避する観点から、特許文献１には、ユーザにとって不要な広告情報がウェブサイト情報上に表示されることを抑止することを目的とした広告提示システムが提案されている。
【０００５】
この特許文献１の広告提示システムは、携帯端末のユーザの現在の移動手段を推定する移動手段推定部、及び移動手段推定部が推定した移動手段が特定の移動手段である場合に携帯端末の広告表示部における広告情報の表示を停止させる広告表示判定部を備える。
【０００６】
この広告提示システムでは、例えば、移動手段推定部がユーザの現在の移動手段を公共交通機関であると推定した場合には、広告表示判定部が、携帯端末の広告表示部に広告情報を表示させることがユーザにとって不要であると判定し、広告表示部に広告情報を表示させることを停止させる。
【０００７】
これにより、ユーザにとって不要な広告情報が、携帯端末の広告表示部に表示されることが抑止される。
【先行技術文献】
【特許文献】
【０００８】
【特許文献１】特開２０１５−５０４７公報
【発明の概要】
【発明が解決しようとする課題】
【０００９】
しかし、特許文献１の広告提示システムによると、広告表示判定部が、広告情報を表示させることがユーザにとって不要であると判定すると、広告表示部に広告情報を表示させることを停止させてしまうことから、ユーザに広告情報を閲覧してもらうという広告主の本来的な要求を阻害することとなる。
【００１０】
このように、広告表示部に広告情報を表示させることを停止させてしまうと、広告主の製品やサービスがユーザに良好に伝達されなくなり、広告主の製品やサービスの認知度が向上しないことが懸念される。
【００１１】
ここで、本発明者は、鋭意研究の結果、広告情報を閲覧するユーザの興趣を向上させるような手法で広告情報を端末に表示させることができれば、ユーザに広告情報を不要に感じさせたり、あるいは不快に感じさせたりすることがないのではないかと仮定し、そうとすれば、広告情報の表示を停止させる必要がなくなることを確認した。
【００１２】
本発明は、広告情報を閲覧するユーザの興趣を向上させるような手法で広告情報を表示させれば、ユーザに広告情報を不要に感じさせたり不快に感じさせたりすることがないのではないかとの仮定に基づいてなされたものであり、広告主の本来的な要求である、広告情報のユーザへの良好な伝達を実現することができる広告配信システム及び広告配信方法を提供することを課題とするものである。
【課題を解決するための手段】
【００１３】
上記目的を達成するための請求項１に記載の発明に係る広告配信システムは、ネットワークを介してウェブサイト情報にアクセス可能な端末の表示部に前記ネットワークを介して受信した広告情報を表示させる広告配信システムにおいて、前記端末に設けられ、該端末の外部から入力される情報を検知するセンサと、前記端末の表示部に前記広告情報が表示されている際に、前記端末の前記センサが検知した前記情報に基づいて前記広告情報の表示を変更させる広告情報表示変更手段と、を備えることを特徴とする。
【００１４】
この構成によれば、端末の表示部に広告情報が表示されている場合において、センサが検知した外部から入力される情報に基づいて、広告情報の表示を変更させることから、バリエーションに富んだ表現の広告情報を提供することができ、広告情報を閲覧するユーザの興趣を向上させることができる。
したがって、広告情報の閲覧をユーザに促すことが可能となることから、広告主の本来的な要求である、広告情報のユーザへの良好な伝達を実現することができる。
【００１５】
請求項２に記載の発明は、請求項１に記載の広告配信システムにおいて、前記センサが検知した前記情報が予め設定された条件を達成したか否かを判断する条件達成判定手段を備え、前記広告情報変更手段は、前記条件達成判定手段が、前記情報が前記条件を達成したと判断した場合に、前記広告情報の表示を変更させることを特徴とする。
【００１６】
この構成によれば、条件達成判定手段によって、センサが検知した情報が予め設定された条件を達成したか否かが判定されることから、広告情報の表示を変更させる手法として、種々の手法を採択することができる。したがって、ユーザの興趣を向上させることができる広告情報を豊富に提供することが可能となる。
【００１７】
請求項３に記載の発明は、請求項１または２に記載の広告配信システムにおいて、前記センサは、前記端末の現在位置を検知する位置情報検知センサであることを特徴とする。
【００１８】
この構成によれば、センサとして、端末の現在位置を検知する位置情報検知センサを採用することによって、端末の現在位置に応じて広告情報の表示を変更させることができる。
【００１９】
請求項４に記載の発明は、請求項１または２に記載の広告配信システムにおいて、前記センサは、前記端末の前記表示部に内蔵された、該表示部に接触した際に該表示部において接触した位置を検知する接触位置検知センサであることを特徴とする。
【００２０】
この構成によれば、センサとして、表示部に接触した位置を検知する接触位置検知センサを採用することによって、表示部に接触した位置に応じて広告情報の表示を変更させることができる。
【００２１】
請求項５に記載の発明は、請求項１または２に記載の広告配信システムにおいて、前記センサは、前記端末に付与される加速度を検知する加速度センサであることを特徴とする。
【００２２】
この構成によれば、センサとして、端末に付与される加速度を検知する加速度センサを採用することによって、端末に付与される加速度に応じて広告情報の表示を変更させることができる。
【００２３】
上記目的を達成するための請求項６に記載の発明に係る広告配信方法は、ネットワークを介してウェブサイト情報にアクセス可能な端末の表示部に前記ネットワークを介して受信した広告情報を表示させる広告配信方法において、前記端末の表示部に前記広告情報が表示されている際に、前記端末に設けられたセンサが前記端末の外部から入力される情報を検知し、前記センサが検知した前記情報が、予め設定された条件を達成したか否かを判断し、前記情報が前記条件を達成したと判断した場合に前記センサが検知した前記情報に基づいて前記広告情報の表示を変更させる、ことを特徴とする。
【００２４】
この構成によれば、端末の表示部に広告情報が表示されている場合において、センサが検知した外部から入力される情報に基づいて、広告情報の表示を変更させることから、バリエーションに富んだ表現の広告情報を提供することができ、広告情報を閲覧するユーザの興趣を向上させることができる。
【００２５】
したがって、広告情報の閲覧をユーザに促すことが可能となることから、広告主の本来的な要求である、広告情報のユーザへの良好な伝達を実現することができる。
【発明の効果】
【００２６】
この発明によれば、バリエーションに富んだ表現の広告情報を提供することによって、広告情報を閲覧するユーザの興趣を向上させることができる。したがって、広告情報の閲覧をユーザに促すことが可能となることから、広告主の本来的な要求である、広告情報のユーザへの良好な伝達を実現することができる。
【図面の簡単な説明】
【００２７】
【図１】本発明の実施の形態に係る広告配信システムの概略を説明するブロック図である。
【図２】同じく、本実施の形態に係る広告配信システムによって配信される広告情報の概略を説明する図である。
【図３】同じく、本実施の形態に係る広告配信システムによって配信される広告情報の一例を説明する図である。
【図４】同じく、本実施の形態に係る広告配信システムによって配信される広告情報の一例を説明する図である。
【図５】同じく、本実施の形態に係る広告配信システムによって配信される広告情報の一例を説明する図である。
【図６】同じく、本実施の形態に係る広告配信システムによって配信される広告情報の一例を説明する図である。
【発明を実施するための形態】
【００２８】
次に、本発明の実施の形態について、図１〜図６に基づいて説明する。なお、本実施の形態において、広告配信システムで広告情報が配信される端末が、例えばスマートフォンやタブレット型端末といった多機能型携帯情報端末である場合を例として説明する。
【００２９】
図１は、本実施の形態に係る広告配信システム１の概略を説明するブロック図である。図示のように、広告配信システム１は、ネットワークであるインターネット１００を介してウェブサイト情報にアクセス可能な多機能型携帯情報端末１０を備える。
【００３０】
さらに、広告配信システム１は、多機能型携帯情報端末１０のアクセスに応じてウェブサイト情報を配信するウェブサーバ２０、及びウェブサーバ２０の要求に応じてウェブサーバ２０に広告情報を配信する広告配信サーバ３０を備える。
【００３１】
多機能型携帯情報端末１０は、本実施の形態では、電子コンパス１１、加速度センサ１２及び接触位置検知センサ１３といった各種のセンサ、演算部１４、通信インターフェース１５、表示部１６を主要構成として備える。
【００３２】
電子コンパス１１は、多機能型携帯情報端末１０が現在向いている方角や、多機能型携帯情報端末１０の現在位置の緯度及び経度を取得するセンサである。本実施の形態では、この電子コンパス１１によって、位置情報検知センサが構成される。
【００３３】
加速度センサ１２は、多機能型携帯情報端末１０が傾倒した際のベクトルや振動の量に基づいて多機能型携帯情報端末１０に付与される加速度を検知するセンサである。一方、接触位置検知センサ１３は、本実施の形態では表示部１６に内蔵されており、ユーザが表示部１６を例えば指で接触すると、表示部１６においてユーザの指が接触した位置を検知する。
【００３４】
これら各種のセンサ１１〜１３は、多機能型携帯情報端末１０の外部から入力される情報を検知する。具体的には、位置情報検知センサを構成する電子コンパス１１は、多機能型携帯情報端末１０の現在位置の緯度及び経度を位置情報Ｄ１として取得するとともに、多機能型携帯情報端末１０が現在向いている方角を方角情報Ｄ２として取得する。
【００３５】
一方、加速度センサ１２は、多機能型携帯情報端末１０に付与される加速度を加速度情報Ｄ３として取得し、接触位置検知センサ１３は、表示部１６においてユーザの指が接触した位置を接触位置情報Ｄ４として取得する。
【００３６】
演算部１４は、多機能型携帯情報端末１０の動作制御を行うＣＰＵ（Ｃｅｎｔｒａｌ  Ｐｒｏｃｅｓｓｉｎｇ  Ｕｎｉｔ）によって構成され、通信インターフェース１５は、上記の各種のセンサ１１〜１３が検知した情報Ｄ１〜Ｄ４を、インターネット１００を介してウェブサーバ２０に送信するとともに、後述するウェブサイト情報をウェブサーバ２０からインターネット１００を介して受信する。
【００３７】
表示部１６は、通信インターフェース１５がウェブサーバ２０から受信したウェブサイト情報を表示する。上記のように、この表示部１６には接触位置検知センサ１３が内蔵されており、表示部１６に表示されたウェブサイト情報にユーザが表示部１６を介して接触した際に、接触位置検知センサ１３が表示部１６においてユーザの指が接触した位置を検知する。
【００３８】
ウェブサーバ２０は、ＨＴＭＬ文書や画像等の各種のウェブサイト情報Ｄ１０を蓄積したウェブデータベース２１を備え、多機能型携帯情報端末１０に格納されたブラウザの要求に応じて、このウェブサイト情報Ｄ１０を多機能型携帯情報端末１０に送信する。
【００３９】
このウェブサーバ２０には、本実施の形態では、条件達成判定手段である条件達成判定プログラム２２、及び広告情報表示変更手段である広告情報表示変更プログラム２３が格納されている。
【００４０】
広告配信サーバ３０は、ウェブデータベース２１に蓄積されたウェブサイト情報Ｄ１０と関連づけられた広告情報Ｄ２０を蓄積した広告配信データベース３１を備え、多機能型携帯情報端末１０に要求されたウェブサイト情報Ｄ１０と関連づけられた広告情報Ｄ２０を、多機能型携帯情報端末１０に送信する。
【００４１】
この広告情報Ｄ２０は、本実施の形態では、ウェブサイト情報Ｄ１０上での広告配信を広告配信業者に依頼した広告主の要求に応じて作成された情報であって、広告配信システム１によって多機能型携帯情報端末１０に配信される対象となる情報である。
【００４２】
次に、ウェブサーバ２０に格納された条件達成判定プログラム２２、及び広告情報表示変更プログラム２３の構成について説明する。
【００４３】
条件達成判定プログラム２２は、各種のセンサ１１〜１３が検知した情報Ｄ１〜Ｄ４が、予め設定された条件を達成したか否かを判断するプログラムである。
【００４４】
具体的には、例えば、多機能型携帯情報端末１０の表示部１６に広告情報Ｄ２０が表示されている場合において、この広告情報Ｄ２０と関連づけて予め設定された位置情報を電子コンパス１１が位置情報Ｄ１として検知した場合、及び広告情報Ｄ２０と関連づけて予め設定された方角情報を電子コンパス１１が方角情報Ｄ２として検知した場合、これら位置情報Ｄ１及び方角情報Ｄ２が、予め設定された条件を達成したと判断する。
【００４５】
一方、多機能型携帯情報端末１０の表示部１６に広告情報Ｄ２０が表示されている場合において、この広告情報Ｄ２０と関連づけて予め設定された位置情報を電子コンパス１１が位置情報Ｄ１として検知し、及び広告情報Ｄ２０と関連づけて予め設定された方角情報を電子コンパス１１が方角情報Ｄ２として検知したときに、広告情報Ｄ２０と関連づけて予め設定された表示部１６におけるユーザの指の接触した位置を接触位置検知センサ１３が接触位置情報Ｄ４として検知すると、条件達成判定プログラム２２は、位置情報Ｄ１、方角情報Ｄ２及び接触位置情報Ｄ４が予め設定された条件を達成したと判断する。
【００４６】
多機能型携帯情報端末１０の表示部１６に広告情報Ｄ２０が表示されている場合において、広告情報Ｄ２０と関連づけて予め設定された表示部１６におけるユーザの指の接触した位置を接触位置検知センサ１３が接触位置情報Ｄ４として検知したときに、広告情報Ｄ２０と関連づけて予め設定された表示部１６におけるユーザの指が接触した領域及びこの接触した領域内における指の接触量を接触位置検知センサ１３が接触位置情報Ｄ４として検知すると、条件達成判定プログラム２２は、接触位置情報Ｄ４が予め設定された条件を達成したと判断する。
【００４７】
さらに、多機能型携帯情報端末１０の表示部１６に広告情報Ｄ２０が表示されている場合において、広告情報Ｄ２０と関連づけて予め設定された多機能型携帯情報端末１０が傾倒した際のベクトルや振動の量を加速度センサ１２が加速度情報Ｄ３として検知すると、条件達成判定プログラム２２は、加速度情報Ｄ３が予め設定された条件を達成したと判断する。
【００４８】
広告情報表示変更プログラム２３は、多機能型携帯情報端末１０の表示部１６に広告情報Ｄ２０が表示されている場合において、情報Ｄ１〜Ｄ４が予め設定された条件を達成したと条件達成判定プログラム２２が判断した場合に、広告情報Ｄ２０の表示を変更させるプログラムである。
【００４９】
次に、本実施の形態に係る広告配信システム１によって広告情報Ｄ２０を配信する方法について説明する。
【００５０】
多機能型携帯情報端末１０に格納されたブラウザからウェブサイト情報Ｄ１０の閲覧要求がウェブサーバ２０に送信されると、ウェブサーバ２０は、要求に対応するウェブサイト情報Ｄ１０を多機能型携帯情報端末１０に送信する。ウェブサイト情報Ｄ１０が送信されると、多機能型携帯情報端末１０は、表示部１６にウェブサイト情報Ｄ１０を表示する。
【００５１】
送信されたウェブサイト情報Ｄ１０に広告情報Ｄ２０が関連づけられている場合は、多機能型携帯情報端末１０は、広告配信サーバ３０に広告情報Ｄ２０の配信要求を送信する。配信要求を受信した広告配信サーバ３０は、多機能型携帯情報端末１０に、広告情報Ｄ２０を送信する。
【００５２】
広告情報Ｄ２０が送信されると、多機能型携帯情報端末１０は、表示部１６に広告情報Ｄ２０を表示する。このとき、各種のセンサ１１〜１３が情報Ｄ１〜Ｄ４を検知すると、これら情報Ｄ１〜Ｄ４は、演算部１４、通信インターフェース１５及びインターネット１００を順に介してウェブサーバ２０に送信される。
【００５３】
ウェブサーバ２０に送信された情報Ｄ１〜Ｄ４は、条件達成判定プログラム２２によって、予め設定された条件を達成したか否かが判断される。
【００５４】
条件達成判定プログラム２２が、情報Ｄ１〜Ｄ４が予め設定された条件を達成したと判断すると、広告情報表示変更プログラム２３は、広告情報Ｄ２０の変更要求を広告配信サーバ３０に送信する。
【００５５】
この変更要求を受信した広告配信サーバ３０は、多機能型携帯情報端末１０に、変更要求に応じた広告情報Ｄ２０を送信し、表示部１６に表示された広告情報Ｄ２０の表示を変更させる。
【００５６】
例えば、図２で示すように、ウェブサイト情報Ｄ１０が表示部１６に表示されているときに、このウェブサイト情報Ｄ１０と関連づけられた広告情報Ｄ２０が表示部１６に表示される。
【００５７】
この広告情報Ｄ２０を選択すべく表示部１６に指で触れると、図３（ａ）で示すように、多機能型携帯情報端末１０の電子コンパス１１が、広告情報Ｄ２０-１と関連づけて予め設定されたロシアの方角である北を方角情報Ｄ２として検知し、広告情報Ｄ２０と関連づけて予め設定されたロシアまでの距離を電子コンパス１１が多機能型携帯情報端末１０の現在位置の緯度及び経度に基づいて位置情報Ｄ１として多機能型携帯情報端末１０の現在位置から７５２０ｋｍであると検知して、広告情報Ｄ２０-１が拡大されて表示部１６に表示される。
【００５８】
この広告情報Ｄ２０-１に記載された「ここからまっすぐ約７,５２０ｋｍ先にある国は？」の質問に対して、多機能型携帯情報端末１０のユーザが「Ａ．ロシア」を選択すべく表示部１６に指で触れると、広告情報Ｄ２０-１と関連づけて予め設定された表示部１６におけるユーザの指の接触した位置を接触位置検知センサ１３が接触位置情報Ｄ４として検知する。
【００５９】
このとき、条件達成判定プログラム２２は、位置情報Ｄ１、方角情報Ｄ２及び接触位置情報Ｄ４が、予め設定された条件を達成したと判断する。この条件達成判定プログラム２２による判断に基づいて、広告情報変更プログラム２３は、図３（ｂ）で示すように、広告情報Ｄ２０-１の表示を広告情報Ｄ２０-２に変更して表示部１６に表示させる。
【００６０】
一方、図２で示すように、ウェブサイト情報Ｄ１０と関連づけられた広告情報Ｄ２０が表示部１６に表示されている際に、この広告情報Ｄ２０を選択すべく表示部１６に指で触れると、図４（ａ）で示すように、多機能型携帯情報端末１０の電子コンパス１１が、広告情報Ｄ２０と関連づけて予め設定された北海道の方角を方角情報Ｄ２として検知し、広告情報Ｄ２０と関連づけて予め設定された北海道までの距離を電子コンパス１１が多機能型携帯情報端末１０の現在位置の緯度及び経度に基づいて位置情報Ｄ１として多機能型携帯情報端末１０の現在位置から８２２ｋｍであると検知する。
【００６１】
このとき、条件達成判定プログラム２２は、位置情報Ｄ１及び方角情報Ｄ２が、予め設定された条件を達成したと判断する。この条件達成判定プログラム２２による判断に基づいて、広告情報変更プログラム２３は、図４（ａ）で示すように、広告情報Ｄ２０の表示を広告情報Ｄ２０-３に変更して表示部１７に拡大して表示させる。
【００６２】
なお、本実施の形態では、広告情報Ｄ２０-３が表示されて一定時間が経過した後、図４（ｂ）で示す広告情報Ｄ２０-４が、広告情報Ｄ２０-３と切り換えられて表示される。
【００６３】
図２で示すように、ウェブサイト情報Ｄ１０と関連づけられた広告情報Ｄ２０が表示部１６に表示されている際に、この広告情報Ｄ２０を選択すべく表示部１６に指で触れると、図５（ａ）で示すように、広告情報Ｄ２０-５が表示部１６に拡大されて表示される。
【００６４】
この広告情報Ｄ２０-５には、本実施の形態では、矩形の目隠し部Ｈ１〜Ｈ３が表示されており、この目隠し部Ｈ１〜Ｈ３の下に他の情報が隠蔽されているように擬似的に表現されている。
【００６５】
この広告情報Ｄ２０-５に記載された「スクラッチチャンス！」、「３つのうち１つ削ってクーポンをもらおう！」の呼びかけに対して、多機能型携帯情報端末１０のユーザが目隠し部Ｈ１〜Ｈ３のうちのいずれかを選択すべく表示部１６に指で触れると、広告情報Ｄ２０-５と関連づけて予め設定された表示部１６におけるユーザの指の接触した位置を接触位置検知センサ１３が接触位置情報Ｄ４として検知する。
【００６６】
このとき、ユーザが目隠し部Ｈ１〜Ｈ３のうちの選択したいずれかについて、表示部１６を介して指でこすり続けることにより、接触位置検知センサ１３が、広告情報Ｄ２０-５と関連づけて予め設定された表示部１６におけるユーザの指が接触した領域及びこの接触した領域内における指の接触量を接触位置情報Ｄ４として検知すると、条件達成判定プログラム２２は、接触位置情報Ｄ４が予め設定された条件を達成したと判断する。
【００６７】
この条件達成判定プログラム２２による判断に基づいて、広告情報変更プログラム２３は、図５（ｂ）で示すように、広告情報Ｄ２０-５の表示を広告情報Ｄ２０-６に変更して表示部１６に表示させる。
【００６８】
すなわち、目隠し部Ｈ１〜Ｈ３のうちの選択したいずれかについて目隠し部Ｈ１〜Ｈ３のいずれかが消滅し、目隠し部Ｈ１〜Ｈ３の下に隠蔽されているように擬似的に表現されていた目隠し情報Ｈ１-１〜Ｈ３-１が表出するように擬似的に表現される。
【００６９】
さらに、図６（ａ）で示すように、ウェブサイト情報Ｄ１０と関連づけられた広告情報Ｄ２０-７が表示部１６に表示されている際に、ユーザが多機能型携帯情報端末１０を矢線Ｔで示した傾倒方向に傾倒させると、広告情報Ｄ２０-７と関連づけて予め設定された多機能型携帯情報端末１０の傾きのベクトルや振動の量を加速度センサ１２が加速度情報Ｄ３として検知する。
【００７０】
本実施の形態では、多機能型携帯情報端末１０を傾倒方向Ｔ１に向かって所定の傾倒量で傾倒させると、条件達成判定プログラム２２が、加速度情報Ｄ３が予め設定された条件を達成したと判断する。
【００７１】
この条件達成判定プログラム２２による判断に基づいて、広告情報変更プログラム２３は、図６（ｂ）で示すように、広告情報Ｄ２０-７の表示を広告情報Ｄ２０-８に変更して表示部１６に表示させる。
【００７２】
このように、本実施の形態の広告配信システム１によれば、多機能型携帯情報端末１０の表示部１６に、ウェブサイト情報Ｄ１０と併せて広告情報Ｄ２０が表示されている場合において、各種のセンサ１１〜１３が検知した情報Ｄ１〜Ｄ４に基づいて広告情報Ｄ２０の表示を変更させることから、広告情報Ｄ２０を閲覧するユーザの興趣を向上させることができる。
【００７３】
したがって、広告情報Ｄ２０の閲覧をユーザに促すことが可能となることから、広告主の本来的な要求である、広告情報Ｄ２０のユーザへの良好な伝達を実現することができる。
【００７４】
特に、本実施の形態では、条件達成判定プログラム２２によって、各種のセンサ１１〜１３が検知した情報Ｄ１〜Ｄ４が予め設定された条件を達成したか否かが判定されることから、広告情報Ｄ２０の表示を変更させる手法として種々の手法を採択することができる。
【００７５】
したがって、ユーザの興趣を向上させることができる広告情報Ｄ２０を、豊富に提供することが可能となる。
【００７６】
なお、本発明は上記実施の形態に限定されることはなく、発明の趣旨を逸脱しない範囲で種々変更可能である。上記実施の形態では、センサが電子コンパス１１、加速度センサ１２及び接触位置検知センサ１３である場合を説明したが、例えば、音声識別センサ、輝度センサ、あるいは画像センサ等、各種のセンサを用いることができる。
【００７７】
上記実施の形態では、端末が、スマートフォンやタブレット型端末といった多機能型携帯情報端末である場合を説明したが、例えば、パーソナルコンピュータやその他の情報機器であってもよい。
【符号の説明】
【００７８】
１    広告配信システム
１０    多機能型携帯情報端末（端末）
１１    電子コンパス（位置情報検知センサ）
１２    加速度センサ
１３    接触位置検知センサ
１６    表示部
２０    ウェブサーバ
２２    条件達成判定プログラム（条件達成判定手段）
２３    広告情報表示変更プログラム（広告情報表示変更手段）
３０    広告配信サーバ
１００    インターネット（ネットワーク）
Ｄ１    位置情報
Ｄ２    方角情報
Ｄ３    加速度情報
Ｄ４    接触位置情報
Ｄ１０    ウェブサイト情報
Ｄ２０    広告情報
【図１】
2017037257.tif 000003
【図２】
2017037257.tif 000004
【図３】
2017037257.tif 000005
【図４】
2017037257.tif 000006
【図５】
2017037257.tif 000007
【図６】
2017037257.tif 000008